(57)【要約】      （修正有）【課題】どのような単位寸法でも、リボンや紐等の手芸用長尺材料に対する印付けを簡単容易に行なうことができる手芸用物差しを提供する。【解決手段】リボンや紐等の手芸用長尺材料２に一定の所要寸法毎に印Ｍを付けるのに使用する手芸用物差しであって、所要寸法毎に目盛り５が付された長方形板状の物差し本体３と、透明プラスチック材からなる長方形の表側板部と裏側板部との一側縁部どうしがつながれ、表側板部の両端部に板部長手方向と直交する方向に切込み９，９が設けられたホルダー４とで構成され、物差し本体３は、ホルダー４の表側板部と裏側板部との間に挟み込まれて、目盛り５が表側板部を通して表から見えるようになっている。【選択図】図１
0003180450.tif 000002
【実用新案登録請求の範囲】
【請求項１】
リボンや紐等の手芸用長尺材料にその長手方向に沿って一定の所要寸法置きに印を付けるのに使用する手芸用物差しであって、
長手方向に沿って前記所要寸法毎に目盛りが付された長方形板状の物差し本体と、透明のプラスチック材からなる長方形の表側板部と裏側板部との一側縁部どうしがつながれ、表側板部の両端部に板部長手方向と直交する方向に切込みが設けられたホルダーとで構成され、物差し本体は、ホルダーの表側板部と裏側板部との間に挟み込まれて、前記目盛りが表側板部を通して表側から見えるようになっており、
使用にあたり、手芸用長尺材料をホルダーの表側板部上に長手方向沿いに延在させて、その両端側を表側板部両端側の切込みから表側板部の内側に差し込んで固定し、表側板部から透けて見える物差し本体の目盛りに合わせて手芸用長尺材料上に印を付けるようにする手芸用物差し。
【請求項２】
前記切込みは、ホルダーの裏側板部とつながる表側板部の一側縁部から他側縁部にわたってその他側縁部を残すことなく形成されている請求項１に記載の手芸用物差し。
【請求項３】
前記切込みは、ホルダーの裏側板部とつながる表側板部の一側縁部から他側縁部にわたってその他側縁部を一部残すように形成されている請求項１に記載の手芸用物差し。
【請求項４】
前記物差し本体は、複数枚設けてあって、各物差し本体は、その表裏各面の上段側と下段側とに夫々異なった所要寸法毎の目盛りが付されていると共に、複数枚の物差し本体に付されている全ての目盛りは、各物差し本体毎に夫々異なっている請求項１〜３の何れかに記載の手芸用物差し。
【考案の詳細な説明】
【技術分野】
【０００１】
本考案は、リボンや紐等の手芸用長尺材料にその長手方向に沿って一定の所要寸法置きに印を付けるのに使用する手芸用物差しに関する。
【背景技術】
【０００２】
例えばリボンフラワーを作る場合に、リボンに、その長手方向沿いに所要寸法、例えば２インチ置きに印を付けておいて、各印を付けた部分を糸で縫って縮みを入れると云うような手法がある。このような場合、従来では、リボンを延ばしながら、その上に、普通のインチ用物差しを置き、この物差しの小刻みな目盛りを目で追いながら、物差しに沿って上記２インチ毎にリボンの上に鉛筆等のマーカーで印を付けるようにしている。
【考案の概要】
【考案が解決しようとする課題】
【０００３】
上記のようにリボンの上に従来の物差しを置いて、所要寸法置きに印を付けていく方法では、その所要寸法（単位寸法）が例えば１インチとか２インチのように比較的小さな整数の場合にはそれ程面倒ではないが、例えば１．７５インチとか２．２５インチ等のように端数を含む寸法の場合は、その単位寸法を順次２倍、３倍と計算しながら物差しの目盛りに合わせて印を付けなければならないため、印付け作業が非常に面倒で困難であった。また、印付け中に、物差しが滑ったり、リボンが動き易いことから、的確な印付けができ難かった。
【０００４】
本考案は、上記のような課題に鑑み、どのような単位寸法でも、リボンや紐等の手芸用長尺材料に対する印付けを簡単容易に、しかも的確に行なうことができる手芸用物差しを提供することを目的とする。
【課題を解決するための手段】
【０００５】
上記課題を解決するための手段を、後述する実施形態の参照番号を付して説明すると、リボンや紐等の手芸用長尺材料２にその長手方向に沿って一定の所要寸法毎に印Ｍを付けるのに使用する手芸用物差しであって、
長手方向に沿って前記所要寸法毎に目盛り５が付された長方形板状の物差し本体３と、透明プラスチック材からなる長方形の表側板部４ａと裏側板部４ｂとの一側縁部４ａｏ，４ｂｏどうしがつながれ、表側板部４ａの両端部に板部長手方向と直交する方向に切込み９，９が設けられたホルダー４とで構成され、物差し本体３は、ホルダー４の表側板部４ａと裏側板部４ｂとの間に挟み込まれて、前記目盛り５が表側板部４ａを通して表側から見えるようになっており、
使用にあたり、手芸用長尺材料２をホルダー４の表側板部４ａ上に長手方向沿いに延在させて、その両端側を表側板部４ａ両端側の切込み９，９から表側板部４ａの内側に差し込んで固定し、表側板部４ａから透けて見える物差し本体３の目盛り５に合わせて手芸用長尺材料２上に印Ｍを付けるようにすることを特徴とする。
【０００６】
請求項２は、請求項１に記載の手芸用物差しにおいて、前記切込み９は、ホルダー４の裏側板部４ｂとつながる表側板部４ａの一側縁部４ａｏから他側縁部４ａａにわたってその他側縁部４ａａを残すことなく形成されていることを特徴とする。
【０００７】
請求項３は、請求項１に記載の手芸用物差しにおいて、前記切込み９は、ホルダー４の裏側板部４ｂとつながる表側板部４ａの一側縁部４ａｏから他側縁部４ａａにわたってその他側縁部４ａａを一部残すように形成されていることを特徴とする。
【０００８】
請求項４は、請求項１〜３の何れかに記載の手芸用物差しにおいて、前記物差し本体３は、複数枚設けてあって、各物差し本体３は、その表裏各面の上段側と下段側とに夫々異なった所要寸法毎の目盛りが付されていると共に、複数枚の物差し本体３・・・に付されている目盛り５〜１３は全て異なっていることを特徴とする。
【考案の効果】
【０００９】
上記解決手段による考案の効果を、後述する実施形態の参照番号を付して説明すると、請求項１に係る考案の手芸用物差しは、リボンや紐等の手芸用長尺材料２を、ホルダー４の表側板部４ａ上に長手方向沿い延在させて、その両端側を、表側板部４ａ両端側の切込み９，９からその内側に差し込んで、表側板部４ａの両端部分１４，１４で押え付けて固定し、この状態で表側板部４ａから透けて見える物差し本体３の目盛り５に合わせて手芸用長尺材料２上に印Ｍを付ければよいから、どのような単位寸法であっても、手芸用長尺材料に対する印付けを簡単容易に行なうことができ、また印Ｍ付け中に手芸用長尺材料２が動かないため、印Ｍ付けを的確に行なうことができる。
【００１０】
請求項２に係る考案のように、切込み９を、ホルダー４の裏側板部４ｂとつながる表側板部４ａの一側縁部４ａｏから他側縁部４ａａにわたって他側縁部４ａａを残すことなく切り込んで形成することによって、印付けの途中で手芸用長尺材料２を取り外す時、また印付けを終えて手芸用長尺材料２を取り外す時には、手芸用長尺材料２を平行姿勢のままホルダー４から離れる方向に引っ張るだけで、容易に抜き取ることができる。
【００１１】
請求項３に係る考案のように、切込み９を、ホルダー４の裏側板部４ｂとつながる表側板部４ａの一側縁部４ａｏから他側縁部４ａａにわたってその他側縁部４ａａを一部残すように形成すれば、ホルダー４を形成するプラスチックシート材が薄い場合でも、その一部残した部分によって、表側板部４ａの端部１４の押え力が補強され、手芸用長尺材料２の端部を十分に保持できる。
【００１２】
請求項４に係る考案のように、夫々単位目盛りの異なる複数本の物差し本体３・・・を設けることにより、一つのホルダー４に対し、物差し本体３を適宜に取り替えるだけで、多種類の単位目盛りに対応した印付けを簡単容易に行なうことができる。
【図面の簡単な説明】
【００１３】
【図１】本考案に係る手芸用物差しの一実施形態を示す平面図で、(a) はリボンのセット位置を上段側にした場合を示し、(b) はリボンのセット位置を下段側にした場合を示す。
【図２】(a-1) は手芸用物差しのホルダーを示す平面図、(a-2) は同ホルダーの端面図、(b-1) はホルダーに挿入する物差し本体の平面図、(b-2) は物差し本体の端面図である。
【図３】(a) はホルダーの一端部側を示す拡大斜視図、(b) は他のホルダーの一端部側を示す拡大斜視図である。
【図４】(a-1) は他の物差し本体の表側を示す平面図、(a-2) は(a-1) に示す物差し本体の裏側を示す平面図であり、(b-1) は更に他の物差し本体の表側を示す平面図であり、(b-2) は(b-1) に示す物差し本体の裏側を示す平面図である。
【考案を実施するための形態】
【００１４】
以下に本考案の好適な実施形態につき図面を参照しながら説明すると、図１において、１は例えばリボン２（手芸用長尺材料）２にその長手方向に沿って或る一定の所要寸法置きに印を付けるのに使用する手芸用の物差しであり、この物差し１は、図２に示すような物差し本体３とホルダー４とから構成される。
【００１５】
物差し本体３は、図２の(b-1) 及び(b-2) から分かるように、弾性のあるプラスチックシート材によって横に長い長方形に形成されたもので、図４の(a-1) ，(b-1) に示すように、プラスチックシート材の表側にはその上段側に、長手方向に沿って０．５インチの所要寸法毎に目盛り５が印刷され、その下段側には、長手方向沿いに２．２５インチの所要寸法毎に目盛り６が印刷されている。またこの物差し本体３の裏側には、図４の(a-2) に示すように、上段側に長手方向沿いに５／８インチの所要寸法毎に目盛り７が印刷され、その下段側には７／８インチの所要寸法毎に目盛り８が印刷されている。
【００１６】
尚、この実施形態では、物差し本体３をプラスチック板材で長方形に形成して、この長方形プラスチック板材の表裏両面に目盛り５，６，７，８を印刷したものとして例示しているが、紙シートを同様な長方形に形成して、これの表裏両面に同様な目盛りを印刷したものを、透明のプラスチックシート材からなる表裏両カバー材で挟んだ状態にラミネートすることによって形成してもよい。また、物差し本体３は、厚紙によって形成することもできる。
【００１７】
ホルダー４は、図２の(a-1) ，(a-2) 及び図３の(a) から分かるように、弾性があって物差し本体３よりも厚い透明のプラスチックシート材で長方形に形成された表側板部４ａと裏側板部４ｂの一側縁部４ａｏ，４ｂｏどうしがスペーサ４ｏを介して一体につながれたものからなり、そして表側板部４ａの両端部には板部長手方向と直交する方向に延びる切込み９，９が設けられている。
【００１８】
表側板部４ａの両端部に夫々設けられた各切込み９は、図２の(a-1) 及び図３の(a-1) に示すように、ホルダー４の裏側板部４ｂとつながれる一側縁部４ａｏから表側板部４ａの他側縁部４ａａにわたってその他側縁部４ａａを残すことなく切り込んで形成されている。従って、図３の(a) に仮想線で示すように、切込み９から表側板部４ａの他側縁側内方部を指で持ち上げると、切込み９から表側板部４ａの外側部分と切り離されて持ち上がり、指を放せば元の状態に弾性復帰するようになる。このようになるのは、ホルダー４を形成する透明プラスチックシート材が比較的厚めのシート材であるからである。
【００１９】
尚、この実施形態では、ホルダー４を、夫々弾性のある透明プラスチックシート材からなる表側板部４ａの一側縁部４ａｏと裏側板部４ｂの一側縁部４ｂｏとをスペーサ４ｏを介して一体につないだものとして例示しているが、弾性を有する一枚の透明プラスチックシート材を、プレス加工等により図２の(a-2) に示すような断面形状に折り曲げることによっても形成できるものである。
【００２０】
物差し本体３をホルダー４に組み付けるには、図２に示すように、物差し本体３をホルダー４の表側板部４ａと裏側板部４ｂとの間に挿入して、この物差し本体３をホルダー４の表側板部４ａと裏側板部４ｂとで挟み付けた状態にすると共に、図１の(a) ，(b) に示すように物差し本体３の両端がホルダー４の表側板部４ａの両端側に設けた切込み９，９より夫々外方に位置するようにすればよい。
【００２１】
上記のように構成される手芸用物差し１の使用方法を説明すると、図１の(a) はリボン２にその長手方向に沿って０．５インチの所要寸法置きに印を付ける場合を示している。この場合は、先ず、図示のように、リボン２を、ホルダー４の表側板部４ａ上面の上段側で長手方向沿いに延ばした状態に置いて、このリボン２の両端側を、表側板部４ａ両端側の切込み９，９から表側板部４ａの内側に差し込んで、両側へ適当に引張した状態とすることによって、表側板部４ａの両端部分１４，１４（切込み９，９から夫々外方部分）でリボン２の両端側を押えて固定し、この状態で表側板部４ａから透けて見える物差し本体３の０．５インチ単位目盛り５に合わせて、リボン２の上面に鉛筆等のマーカーで印Ｍを付けていけばよい。
【００２２】
リボン２への印付けを終えたら、そのリボン２を、図１の(a) に示す状態からそのままホルダー４の下段側へ平行移動させることにより、リボン２の両端側をホルダー４の表側板部４ａの両端部分１４，１４から抜き取って、容易に取り外すことができる。表側板部４ａ上にセットして印付けをしている途中で手芸用長尺材料２を取り外す時も、同じ様にリボン２を平行姿勢のまま下側へ引っ張るだけで、容易に抜き取ることができる。
【００２３】
図１の(b) はリボン２にその長手方向沿いに２．２５インチの所要寸法置きに印を付ける場合を示す。この場合は、リボン２を、図１の(a) に示す状態からそのまま下方へ平行移動して表側板部４ａ上面の下段側に位置させた状態とし、この状態で表側板部４ａから透けて見える物差し本体３の２．２５インチ単位目盛り６に合わせて、リボン２の上面に印Ｍを付けていけばよい。
【００２４】
また、図４の(a-1) 及び(a-2) に示すように、上記物差し本体３の裏側には、上段側に５／８インチ単位の目盛り７が、下段側には７／８インチ単位の目盛り８が夫々印刷されているから、リボン２に５／８インチの所要寸法置きに印を付ける場合は、裏側の目盛り８がホルダー４の表側板部４ａから透けて見えるように、この物差し本体３を裏返しにしてホルダー４内に差込み、リボン２をホルダー４の表側板部４ａ上面の上段側に延ばした状態で置けばよく、またリボン２に７／８インチ単位の所要寸法置きに印を付ける時は、上記目盛り７を使用する状態からリボン２をそのまま下方へ平行移動して、このリボン２を表側板部４ａ上面の下段側に位置させればよい。
【００２５】
図４の(b-1) 及び(b-2) は、単位目盛りが異なった他の物差し本体３を示したもので、この物差し本体３には、表側の上段部に２インチ単位の目盛り１０が、またその下段部に２．５インチ単位の目盛り１１が夫々印刷され、また裏側の上段部に３インチ単位の目盛り１２が、その下段部に３．５インチ単位の目盛り１３が夫々印刷されている。従って、この物差し本体３も必要に応じ、ホルダー４に入れ換えて使用することができる。
【００２６】
このように、複数枚の物差し本体３・・・を設け、各物差し本体３は、その表裏各面の上段側と下段側とに異なった単位目盛り５〜１２を付すると共に、これら複数枚の物差し本体３・・・に付されている全ての単位目盛り５〜１２を夫々異ならせることによって、多種類の所要寸法置きの印Ｍをリボン２に付することができる。
【００２７】
以上説明した実施形態の手芸用物差し１では、物差し本体３にインチ単位の目盛り５〜１３を表示しているが、物差し本体３にセンチ単位の目盛りを表示することができる。
【００２８】
図３の(b) は、切込み９が、ホルダー４の裏側板部４ｂとつながる表側板部４ａの一側縁部４ａｏから他側縁部４ａａにわたってその他側縁部４ａａを一部残すように形成されているホルダー４を示す。このように一端部が表側板部４ａの一側縁部４ａｏから延びる切込み９の他端部を、表側板部４ａの他側縁部４ａａを貫通せずに一部残すように形成したホルダー４は、ホルダー４を形成するプラスチックシート材の厚さが比較的薄い場合に適している。即ち、薄いプラスチックシート材の場合は、リボン２の端部を押える表側板部４ａの端部１４の押え力が弱くなるが、切込み９の端を表側板部４ａの他側縁部４ａａを貫通させることなく一部残すことにより、その残し部で押え力が補強されて、リボン２の端部を保持できるようになる。
【符号の説明】
【００２９】
１            物差し
２            リボン（手芸用長尺材料）
Ｍ            リボン（手芸用長尺材料）に付ける印
３            物差し本体
４            ホルダー
４ａ          表側板部
４ｂ          裏側板部
５〜８        目盛り
９            切込み
１０〜１３      目盛り
【図１】
0003180450.tif 000003
【図２】
0003180450.tif 000004
【図３】
0003180450.tif 000005
【図４】
0003180450.tif 000006